(57)【要約】【課題】バウンス発光撮影の際に撮影者の操作性を向上させる。【解決手段】カメラは、撮影の際に発光する発光部を備え前記発光部による光の照射方向を制御可能なストロボ３００と、照明装置が装着されるカメラ本体１００とを有する。カメラ本体は、ストロボで被写体を照明して被写体の撮影を行う際、ストロボの動作モードとして発光部からの光を反射体で反射させて被写体を照明する第１のモードが選択されると、ストロボが第１のモードに設定されているか否かを判定し、第１のモードに設定されているとストロボを第１のモードに制御する。【選択図】図１
2018146934.tif 000002
【特許請求の範囲】
【請求項１】
発光部を備える照明装置が装着可能な撮像装置であって、
操作手段と、
前記照明装置の動作モードとして、前記操作手段への操作に応じて前記発光部からの光を反射体で反射させて被写体を照明する第１のモードに設定されているか否かを判定する判定手段と、
前記判定手段によって前記照明装置が前記第１のモードに設定されていると判定されるか否かに応じて前記操作手段が操作されたときに異なる制御を行う制御手段と、
を有することを特徴とする撮像装置。
【請求項２】
前記制御手段は、前記判定手段によって前記照明装置が前記第１のモードに設定されていると判定されない場合、前記操作手段への操作に応じて所定の動作を実行させることを特徴とする請求項１に記載に撮像装置。
【請求項３】
前記制御手段は、前記判定手段によって前記照明装置が前記第１のモードに設定されていると判定されない場合、前記操作手段への操作に応じて、前記発光部からの光を反射体で反射させて被写体を照明するための指示とは異なる発光指示を前記照明装置へ送信させることを特徴とする請求項１又は２に記載の撮像装置。
【請求項４】
前記制御手段は、前記判定手段によって前記照明装置が前記第１のモードに設定されていると判定されない場合、前記操作手段への操作に応じて絞りの絞り込み動作を実行させることを特徴とする請求項１乃至３のいずれか１項に記載の撮像装置。
【請求項５】
前記制御手段は、前記判定手段によって前記照明装置が前記第１のモードに設定されていると判定される場合、前記操作手段が操作されても前記絞り込み動作を実行させないことを特徴とする請求項４に記載の撮像装置。
【請求項６】
発光部を備える照明装置が装着可能であり、前記発光部からの光を反射体で反射させて被写体を照明するための操作手段を有する撮像装置の制御方法であって、
前記照明装置の動作モードとして、前記操作手段への操作に応じて前記発光部からの光を反射体で反射させて被写体を照明する第１のモードに設定されているか否かを判定する判定ステップと、
前記判定ステップで前記照明装置が前記第１のモードに設定されていると判定されるか否かに応じて異なる制御を行う制御ステップと、
を有することを特徴とする制御方法。
【請求項７】
発光部を備える照明装置が装着可能であり、前記発光部からの光を反射体で反射させて被写体を照明するための操作手段を有する撮像装置で用いられる制御プログラムであって、
前記撮像装置本体が備えるコンピュータに、
前記照明装置の動作モードとして、前記操作手段への操作に応じて前記発光部からの光を反射体で反射させて被写体を照明する第１のモードに設定されているか否かを判定する判定ステップと、
前記判定ステップで前記照明装置が前記第１のモードに設定されていると判定されるか否かに応じて異なる制御を行う制御ステップと、
を実行させることを特徴とする制御プログラム。
【発明の詳細な説明】
【技術分野】
【０００１】
本発明は、撮像装置、その制御方法、および制御プログラムに関し、特に、光を被写体に照射して撮像を行う際の光の照射方向の制御に関する。
【背景技術】
【０００２】
一般に、照明装置から光を天井などの反射体に向けて照射し、反射体からの拡散反射光を被写体に照射して撮影を行う所謂バウンス発光撮影が知られている。当該バウンス発光撮影では、照明装置からの光を間接的に被写体に照射することができるので、柔らかい光で描写を行うことができる。
【０００３】
このようなバウンス発光撮影において、撮像装置から被写体までの距離と反射体までの距離とに基づいて照明装置の照射角度（以下バウンス角と呼ぶ）を求めるようにしたものがある（特許文献１参照）。このようにしてバウンス角度を求める機能はオートバウンス機能と呼ばれる。
【先行技術文献】
【特許文献】
【０００４】
【特許文献１】特開平４−３４０５２７号公報
【発明の概要】
【発明が解決しようとする課題】
【０００５】
ところで、オートバウンス機能は、照明装置における照射角度を求める機能であるので、一般的に照明装置にその専用ボタンが備えられている。このため、撮影者は撮像装置を保持しつつ照明装置に設けられた専用ボタンを押すことになって、撮影者にとっては極めて操作が困難なことがある。
【０００６】
一方、撮像装置にオートバウンス機能を行うための専用ボタンを設けたとしても、オートバウンス機能に対応する専用の照明装置が撮像装置に装着されている場合にのみ当該専用ボタンは有効になる。このため、撮影者にとっては極めて使い勝手が悪い。
【０００７】
そこで、本発明の目的は、バウンス発光撮影の際に撮影者の操作性を向上させることのできる撮像装置、その制御方法、および制御プログラムを提供することにある。
【課題を解決するための手段】
【０００８】
上記目的を達成するために、本発明による撮像装置は、発光部を備える照明装置が装着可能な撮像装置であって、操作手段と、前記照明装置の動作モードとして、前記操作手段への操作に応じて前記発光部からの光を反射体で反射させて被写体を照明する第１のモードに設定されているか否かを判定する判定手段と、前記判定手段によって前記照明装置が前記第１のモードに設定されていると判定されるか否かに応じて異なる制御を行う制御手段と、を有することを特徴とする。
【発明の効果】
【０００９】
本発明によれば、撮影者の操作性を向上させることができる。
【図面の簡単な説明】
【００１０】
【図１】本発明の実施の形態による撮像装置の一例を照明装置とともに示すブロック図である。
【図２】図１に示すカメラ本体とストロボとを接続した際の接点の一例を示す図である。
【図３】図２に示す照明装置接続部の接点における信号波形の一例を示す図である。
【図４】図１に示すカメラ本体からストロボに送信される通信コマンドの一例を示す図である。
【図５】図１に示すカメラ本体の動作を説明するためのフローチャートである。
【図６】図５に示すオートバウンスの一括駆動命令を受けた際のストロボとの動作を説明するためのフローチャートである。
【発明を実施するための形態】
【００１１】
以下に、本発明の実施の形態による撮像装置の一例について図面を参照して説明する。
【００１２】
図１は、本発明の実施の形態による撮像装置の一例を照明装置とともに示すブロック図である。
【００１３】
図示の撮像装置は、所謂一眼レフデジタルカメラ（以下単にカメラと呼ぶ）であり、カメラ本体１００にはレンズユニット２００が着脱可能に取り付けられている。さらに、カメラ本体１００には照明装置（以下ストロボと呼ぶ）３００が着脱可能に取り付けられている。つまり、カメラ本体１００にはストロボ３００が装着可能である。
【００１４】
カメラ本体１００には、主ミラー１０１が備えられており、主ミラー１０１はカメラの動作状態に応じて回動制御される。例えば、被写体をファインダで観測する際には、主ミラー１０１は撮影光路（一点鎖線で示す）に斜めに挿入され、レンズユニット２００を通過した光学像をファインダ光学系に導く。一方、撮影の際には、主ミラー１０１は撮影光路から退避し、これによって、レンズユニット２００を通過した光学像は撮像素子１０３に結像する。図示の例では、主ミラー１０１を撮影光路上に配置した際の位置１０１を実線で示し、主ミラー１０１を撮影光路から退避した際の位置１０１’を点線で示す。
【００１５】
シャッタ１０２は、主ミラー１０１の後段に位置し、レンズユニット２００を通過した光学像を撮像素子１０３に入射する際の制御に用いられる。通常、シャッタ１０２は閉じた状態であり、撮影の際に開いた状態に制御される。なお、シャッタ１０２は、撮像装置制御部１０５によってシャッタ制御部１１５を介して制御される。
【００１６】
撮像素子１０３は、光学像に応じた画像信号を出力する。撮像素子１０３として、例えば、ＣＭＯＳセンサ又はＣＣＤセンサが用いられる。撮像装置制御１０５はタイミングジェネレータ（ＴＧ）１１６を駆動制御して、ＴＧ１１６の出力であるタイミング信号に基づいて撮像素子１０３を駆動して光学像を光電変換によってアナログ信号（画像信号）に変換する。
【００１７】
アナログ信号処理部１０４は、撮像素子１０３の出力であるアナログ信号をサンプルホールドした後、アナログゲインを付加してＡ／Ｄ変換によってデジタル信号に変換する。撮像装置制御部１０５は、アナログ信号処理部１０４の出力であるデジタル信号について所定のデジタル信号処理を施してメモリ制御部１２０によって画像データとしてメモリ１２１に保存する。
【００１８】
具体的には、撮像装置制御部１０５では、デジタルゲイン部１０６によってデジタル信号にデジタルゲインを付加する。画像処理部１０７は、デジタルゲイン部１０６の出力に対して所定のデジタル信号処理、例えば、画素補間処理および色変換処理を施して画像データを生成する。
【００１９】
画像表示部１１９は、例えば、カメラ本体１０１の背面に配置されたＬＣＤなどのモニタであり、画像表示部１１９には画像および撮影情報が表示される。操作部１２２は、撮影者の指示を受け付けるための入力部である。操作部１２２には、例えば、ＡＦ指示ボタン、撮影指示ボタン、オートバウンス指示ボタン、およびＡＥ指示ボタンなどの各種操作ボタンが備えられている。そして、操作部１２２は撮影者による入力操作を撮像装置制御部１０５に送る。
【００２０】
ピント板１０９は、レンズユニット２００の一次結像面に配置されており、入射面にはフレネルレンズ（集光レンズ）が備えられている。そして、ピント板１０９は、射出面に光学像（ファインダ像）を結像する。ペンタプリズム１１０はファインダ光路を変更するものであり、ピント板１０９の射出面に結像した光学像を正立正像に補正する。
【００２１】
撮影者はファインダを覗く際、接眼レンズ１１１によって撮影者の目に合わせて視度を調節することができる。測光センサ１１２は、撮像領域を分割した各領域に対応するフォトダイオード（ＰＤ）を備えており、ピント板１０９の射出面に結像した光学像における領域毎の輝度を測光処理部１１３に出力する。
【００２２】
ＡＦセンサ１１７は、例えば、像面位相差方式によって得られたデフォーカス量を焦点検出処理部１２３に出力する。撮像装置制御部１０５は当該デフォーカス量に基づいてレンズ駆動量を決定する。そして、撮像装置制御部１０５は通信端子１１８を介してレンズ駆動量に応じてレンズユニット２００を駆動制御する。
【００２３】
なお、撮像装置制御部１０５は、ＣＰＵ、ＲＯＭ、およびＲＡＭなどを備えるマイクロコンピュータである。ＣＰＵはＲＯＭに保存されたプログラムを実行してカメラ全体の制御を行う。
【００２４】
レンズユニット２００は、撮影レンズ２０１を有しており、撮影レンズ２０１は、例えば、合焦用レンズおよびズームレンズを備えるレンズ群である。そして、撮影レンズ２０１は光学像（被写体像）をカメラ本体１００に入射する。レンズユニット２００は絞り２０２を有しており、絞り２０２の開口径を調節することによって撮影の際の光量調節を行う。
【００２５】
レンズ制御部２０５は絞り駆動部２０４を制御して絞り２０２の開口径を制御する。フォーカス駆動部２０３は、レンズ制御部２０５の制御下で、撮影レンズ２０１の位置を光軸に沿って変位させて焦点を合わせる。
【００２６】
レンズ制御部２０５は、レンズユニット２００全体の制御を司る。さらに、レンズ制御部２０５は、レンズ位置取得部２０７で得られた撮影レンズ２０１の位置に基づいて、撮影レンズ２０１のズーム位置（焦点距離情報）および合焦位置までの距離情報を得る。
【００２７】
通信端子２０６はレンズユニット２００がカメラ本体１００と通信を行うための端子である。また、通信端子１１８はカメラ本体１００がレンズユニット２００と通信を行うための端子である。そして、レンズユニット２００がカメラ本体１００に装着されると、通信端子１１８および２０６が接続される。つまり、レンズユニット２００は、通信端子２０６および１１８を介して撮像装置制御部１０５と通信を行う。
【００２８】
前述のように、ストロボ３００はカメラ本体１００に着脱可能であり、本体部およびヘッド部を備えている。本体部には照明装置制御部３０１が備えられており、照明装置制御部３０１は、例えば、発光制御およびヘッド部の角度制御を行う。
【００２９】
ヘッド部には発光部３０２が備えられており、発光部３０２は、照明装置制御部３０１の発光指示に従って発光する。測距用測光部３０３は発光部３０２の発光によって測距対象（被写体）から反射した光を受光してその受光量を計測する。そして、測距用測光部３０３は当該受光量を照明装置制御部３０１に出力する。さらに、測距用測光部３０３は受光量に基づいてカメラから測距対象までの距離を測距距離として求める。
【００３０】
ヘッド駆動制御部３０４は、照明装置制御部３０１の制御下でヘッド部を本体部に対して水平および垂直方向に駆動する。さらに、ヘッド駆動制御部３０４はヘッド部の駆動量を得て、当該駆動量に応じてヘッド部の本体部に対する相対位置を照明装置制御部３０１に出力する。なお、ヘッド部を駆動することによって、発光部３０２および測距用測光部３０３を測距対象の方向に正対させる。
【００３１】
バウンス角度演算部３０５は、照明装置制御部３０１の制御下で、測距用測光部３０３において得られた受光量および測距距離に基づいて最適なバウンス角度を求める。操作部３０６は、撮影者の操作を受け付ける入力部である。操作部３０６には、例えば、発光モード設定ボタン、オートバウンス指示ボタン、オートバウンス機能オフ／オン切り替えスイッチ、および各種操作ボタンが備えられている。操作部３０６は撮影者による入力操作を照明装置制御部３０１に出力する。なお、オートバウンス指示ボタンはオートバウンス機能オフ／オン切り替えスイッチがオンの場合に機能する。
【００３２】
撮像装置接続部３０７は、ストロボ３００とカメラ本体１００との接続部である。照明装置制御部３０１は撮像装置接続部２０７および照明装置接続部１１４を介して撮像装置制御部１０５と通信する。
【００３３】
図２は、図１に示すカメラ本体１００とストロボ３００とを接続した際の接点の一例を示す図である。つまり、図２には、撮像装置接続部３０７および照明装置接続部１１４を接続する際の接点が示されている。
【００３４】
撮像装置接続部３０７には、接点Ｓｏｕｔ、Ｓｉｎ、およびＳｃｌｋが備えられている。接点Ｓｏｕｔはクロック同期通信によるストロボ３００のデータ出力端子であり、接点Ｓｉｎはクロック同期通信によるデータ入力端子である。また、接点Ｓｃｌｋはクロック同期信号の出力端子である。
【００３５】
照明装置接続部１１４には、接点Ｃｏｕｔ、Ｃｉｎ、およびＣｃｌｋが備えられている。接点Ｃｏｕｔはクロック同期通信によるカメラ本体１００のデータ出力端子であり、接点Ｃｉｎがクロック同期通信によるデータ入力端子である。また、接点Ｃｃｌｋはクロック同期信号の出力端子である。
【００３６】
図３は、図２に示す照明装置接続部の接点における信号波形の一例を示す図である。
【００３７】
接点Ｃｃｌｋの出力であるクロック同期信号の立ち上がりに同期して、カメラ本体１００は接点Ｃｉｎから入力されるデータを受信する。また、接点Ｃｃｌｋの出力であるクロック同期信号の立ち上がりに同期して、カメラ本体１００は接点Ｃｏｕｔからストロボ３００にデータを送信する。
【００３８】
Ｃｃｌｋ端子の出力であるクロック同期信号が所定の期間Ｌｏレベルとなる区間は、カメラ本体１００が接点ＣｃｌｋのレベルＬｏレベルとして、カメラ本体１００の処理を待つ（Ｂｕｓｙ）状態を示す。カメラ本体１００は通信処理が終了すると、端子ＣｃｌｋのレベルをＨｉレベルとする。
【００３９】
なお、図３においては、カメラ本体１００はストロボ３００から３２ＨＥＸで示すデータを受信する状態が示されている。
【００４０】
図４は、図１に示すカメラ本体１００からストロボ３００に送信される通信コマンドの一例を示す図である。
【００４１】
図示の例では、カメラ本体１００から出力されるデータ量はコマンドに応じて予め設定されている。ここでは、カメラ本体１００からコマンド１０Ｈがストロボ３００に送信されると、ストロボ３００は「発光モード情報要求」と認識する。そして、ストロボ３００はカメラ本体１００に送る２バイト目の送信データにおいてストロボ３００が発光可能なモードを送信する。
【００４２】
なお、発光可能なモードには、自動調節モード、マニュアル発光モード、およびマルチ発光モードなどの撮影の際発光モードが含まれる。さらに、発光可能なモードには、オートバウンス機能対応情報およびモデリング発光機能対応情報などのストロボ３００が備える機能を判定するための判定情報が含まれる。さらに、ストロボ３００はカメラ本体１００に送る３バイト目の送信データにおいてストロボ３００に設定された発光モードを示す情報を送信する。
【００４３】
カメラ本体１００からストロボ３００にコマンド１２Ｈが送信されると、ストロボ３００は「発光モード設定」と認識して、カメラ本体１００から送られる２バイト目の送信データによって発光モード情報を設定する。
【００４４】
カメラ本体１００からコマンド２６Ｈがストロボ３００に送信されると、ストロボ３００は「一括駆動命令」と認識する。この通信を受けると、ストロボ３００はヘッド部を被写体方向に駆動するともに、被写体測距用の発光を行い、ヘッド部を天井方向に駆動して天井測距用の発光を連続して行う。そして、ストロボ３００は各測距結果に応じて最適なバウンス角度を求めて、当該バウンス角度に応じてヘッド部を駆動する。
【００４５】
カメラ本体１００からコマンド３０Ｈがストロボ３００に送信されると、ストロボ３００は「駆動状態取得要求」と認識する。そして、ストロボ３００は当該コマンドの２バイト目にストロボ３００の動作状態を設定してカメラ本体１００に通知する。通知される動作状態には、「ヘッド駆動中」および「ヘッド停止中」の２状態がある。ヘッド駆動が行われている場合には、動作状態として「ヘッド駆動中」がカメラ本体１００に通知される。
【００４６】
カメラ本体１００からコマンド３４Ｈがストロボ３００に送信されると、ストロボ３００は「モデリング発光命令」と認識して、所定の周期において、所定光量で連続発光を行う。
【００４７】
カメラ本体１００からコマンド３６Ｈがストロボ３００に送信されると、ストロボ３００は当該コマンドの２バイト目にストロボにおいてオートバウンスモード機能が有効状態であるか否かを示す判定情報をカメラ本体１００に送信する。オートバウンスモード機能が有効状態であるか否かを示す判定情報は、オートバウンス機能オフ／オン切り替えスイッチの状態に応じた情報である。
【００４８】
なお、図４に示す通信コマンドには、その他のコマンドがあるが、ここでは説明を省略する。
【００４９】
図５は、図１に示すカメラ本体の動作を説明するためのフローチャートである。なお、図示のフローチャートに係る処理は、撮像装置制御部１０５の制御下で行われる。
【００５０】
カメラ本体１００の動作が開始すると、撮像装置制御部１０５は、操作部１２２に備えられたオートバウンス指示ボタンがオンされたか否かを判定する（ステップＳ１０１）。オートバウンス指示ボタンがオフであると（ステップＳ１０１において、ＮＯ）、撮像装置制御部１０５は待機する。
【００５１】
オートバウンス指示ボタンがオンとなると（ステップＳ１０１において、ＹＥＳ）、撮像装置制御部１０５はカメラ本体１００にストロボ３００が装着されているか否かを判定する（ステップＳ１０２）。つまり、動作モードとしてオートバウンスが選択されると、撮像装置制御部１０５はカメラ本体１００にストロボ３００が装着されているか否かを判定する。ここでは、撮像装置制御部１０５は、照明装置接続部１１４に備えられたメカスイッチ（図示せず）によって装着を検出するか又はストロボ３００に送信する通信コマンドの送信が成功したか否かによって装着を検出する。
【００５２】
ストロボ３００が装着されていないと（ステップＳ１０２において、ＮＯ）、撮像装置制御部１０５はストロボ３００が装着されるまで待機する。ストロボ３００が装着されていると（ステップＳ１０２において、ＹＥＳ）、撮像装置制御部１０５はストロボ３００に対して発光モード情報要求（コマンド１０Ｈ）を送る（ステップＳ１０３）。なお、当該発光モード情報要求によって、撮像装置制御部１０５はオートバウンス機能対応情報およびモデリング発光機能対応情報を取得することができる。
【００５３】
次に、撮像装置制御部１０５はオートバウンス機能対応情報を参照して、ストロボ３００がオートバウンスに対応するストロボであるか否かを判定する（ステップＳ１０４）。オートバウンスに対応するストロボであると（ステップＳ１０４において、ＹＥＳ）、撮像装置制御部１０５はストロボ３００に対してオートバウンス機能状態要求（コマンド３６Ｈ）を送る（ステップＳ１０５）。なお、オートバウンス機能状態要求によって、撮像装置制御部１０５はストロボ３００のオートバウンス機能が有効状態になっているか否かを示す情報（オートバウンス情報）を取得することができる。
【００５４】
続いて、撮像装置制御部１０５はオートバウンス情報を参照して、オートバウンス機能が有効状態となっているか否かを判定する（ステップＳ１０６）。オートバウンス機能が有効状態となっていると（ステップＳ１０６において、ＹＥＳ）、撮像装置制御部１０５は発光禁止設定になっているか否かを判定する（ステップＳ１０７）。
【００５５】
発光禁止設定になっていないと（ステップＳ１０７において、ＮＯ）、撮像装置制御部１０５はストロボ３００のオートバウンス駆動を行う（ステップＳ１０８）。例えば、撮像装置制御部１０５はストロボ３００に対して一括駆動命令（コマンド２６Ｈ）を送る。これによって、ストロボ３００はヘッド部を被写体方向に駆動するとともに、被写体測距用の発光を行い、さらに、ヘッド部を天井方向に駆動して天井測距用の発光を行う。そして、ストロボ３００は、各測距結果に応じて最適なバウンス角度を求めて当該バウンス角度にヘッド部を駆動する。そして、撮像装置制御部１０５はカメラ本体の動作を終了する。
【００５６】
オートバウンスに対応するストロボでないと（ステップＳ１０４において、ＮＯ）、撮像装置制御部１０５は撮影モードが簡単撮影モードで動作可能であるか否かを判定する（ステップＳ１０９）。
【００５７】
なお、簡単撮影モードとは、撮影者が複雑な設定を行うことなく適切な撮影を行うことができる自動撮影モードをいう。例えば、簡単撮影モードには、設定したシーンに応じてシャッタ速度、絞り値、ストロボ発光状態、および感度設定などを組み合わせるシーンモードがある。また、簡単撮影モードには、計測によって得られた輝度などに基づいてシーン判定を行って、その判定結果に応じてシャッタ速度、絞り値、およびストロボ発光状態、および感度設定などを組み合わせるオートモードがある。
【００５８】
撮影モードが簡単撮影モードであると（ステップＳ１０９において、ＹＥＳ）、撮像装置制御部１０５はカメラ本体の動作を終了する。一方、撮影モードが簡単撮影モードでないと（ステップＳ１０９において、ＮＯ）、撮像装置制御部１０５は、レンズユニット２００を制御して所定の動作として絞り込み動作を行う（ステップＳ１１０）。絞り込み動作が行われると、カメラに設定された絞り値に関係なく、絞りは最小絞り値又は小絞り値まで直ちに絞り込まれる。
【００５９】
続いて、撮像装置制御部１０５は、ステップＳ１０３の処理で得たモデリング発光機能対応情報を参照して、ストロボ３００がモデリング発光機能に対応しているか否かを判定する（ステップＳ１１１）。モデリング発光機能に対応していると（ステップＳ１１１において、ＹＥＳ）、撮像装置制御部１０５は所定の動作としてストロボ３００に対してモデリング発光を指示する（ステップＳ１１２）。そして、撮像装置制御部１０５はカメラ本体の動作を終了する。
【００６０】
一方、モデリング発光機能に対応していないと（ステップＳ１１１において、ＮＯ）、撮像装置制御部１０５はカメラ本体の動作を終了する。なお、オートバウンス機能が無効状態であると（ステップＳ１０６において、ＮＯ）、撮像装置制御部１０５はステップＳ１０９の処理に進む。また、発光禁止設定になっていると（ステップＳ１０７において、ＹＥＳ）、撮像装置制御部１０５はステップＳ１０９の処理に進む。ここで、モデリング発光とは、ストロボ撮影を行う前にライティングのバランスおよび被写体の影の有無などを確認するための発光をいう。
【００６１】
図６は、図５に示すオートバウンスの一括駆動命令を受けた際のストロボとの動作を説明するためのフローチャートである。なお、図示のフローチャートに係る処理は、照明装置制御部３０１の制御下で行われる。
【００６２】
一括駆動命令通信（コマンド２６Ｈ）を受信すると、照明装置制御部３０１はストロボ３００の状態を「オートバウンス駆動状態」とする（ステップＳ２０１）。「オートバウンス駆動状態」状態においては、照明装置制御部３０１はカメラ本体１００から送られる状態取得要求（コマンド３０Ｈ）に対して「オートバウンス駆動中」と通知する。
【００６３】
続いて、照明装置制御部３０１はヘッド駆動部３０４を制御してヘッド部を正面（被写体）方向に駆動する（ステップＳ２０２）。そして、正面駆動が完了すると、照明装置制御部３０１はプリ発光を行って、被写体までの距離（正面距離）を求める（ステップＳ２０３）。ここでは、照明装置制御部３０１は所定光量でプリ発光を行って、測距用測光部３０３による測光で得られた輝度値（プリ発光輝度値）と予め取得した自然光による輝度値とに基づいて正面距離を求める。
【００６４】
続いて、照明装置制御部３０１はヘッド駆動部３０４を制御してヘッド部を天井方向に駆動する（ステップＳ２０４）。天井駆動が完了すると、照明装置制御部３０１はプリ発光を行って、天井までの距離（天井距離）を求める（ステップＳ２０５）。ここでは、照明装置制御部３０１は所定光量でプリ発光を行って、測距用測光部３０３による測光で得られた輝度値（プリ発光輝度値）と予め取得した自然光による輝度値とに基づいて天井距離を求める。
【００６５】
次に、照明装置制御部３０１は、バウンス角度演算部３０５によって正面距離および天井距離に基づいて最適バウンス角度を求める（ステップＳ２０６）。照明装置制御部３０１は、最適バウンス角度に基づいてヘッド駆動部３０４を制御して、ヘッド部を最適バウンス角に駆動する（ステップＳ２０７）。その後、照明装置制御部３０１はストロボ３００の状態を「停止中」状態とする（ステップＳ２０８）。「停止中」状態においては、ストロボ制御部３０１はカメラ本体１００から送られる状態取得要求（コマンド３０Ｈ）に対して「停止中」を通知する。そして、照明装置制御部３０１はストロボ３００の動作を終了する。
【００６６】
このように、本発明の実施の形態では、カメラ本体１００の操作部１２２に備えられたオートバウンス指示ボタンがオンとされると、カメラ本体１００の設定およびストロボ３００の設定に応じて異なる制御を行うことで、撮影者の操作性を向上させることができる。
【００６７】
以上、本発明について実施の形態に基づいて説明したが、本発明は、これらの実施の形態に限定されるものではなく、この発明の要旨を逸脱しない範囲の様々な形態も本発明に含まれる。
【００６８】
例えば、上記の実施の形態の機能を制御方法として、この制御方法をカメラ本体（撮像装置本体）に実行させるようにすればよい。また、上述の実施の形態の機能を有するプログラムを制御プログラムとして、当該制御プログラムをカメラ本体が備えるコンピュータに実行させるようにしてもよい。なお、制御プログラムは、例えば、コンピュータに読み取り可能な記録媒体に記録される。
【００６９】
また、図５に示したフローチャートの全てのステップを有する必要はない。ストロボ３００がオートバウンス指示ボタンへの操作に応じて発光部３０２からの光を反射体で反射させて被写体を照明するモードに設定されているか否かに応じて、カメラ本体１００で異なる制御を行うフローチャートであればよい。
【００７０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７１】
１００  撮像装置本体（カメラ本体）
１０５  撮像装置制御部
１２２  操作部
２００  レンズユニット
２０５  レンズ制御部
３００  照明装置（ストロボ）
３０１  照明装置制御部
３０２  発光部
３０４  ヘッド駆動制御部
３０５  バウンス角度演算部
【図１】
2018146934.tif 000003
【図２】
2018146934.tif 000004
【図３】
2018146934.tif 000005
【図４】
2018146934.tif 000006
【図５】
2018146934.tif 000007
【図６】
2018146934.tif 000008